(57)【要約】【課題】本考案に係るイヤホンの商品としての外観品質を向上させることができると共に、装着後耳からスピーカ部が外れにくいイヤホンを提供することにある。【解決手段】イヤホン本体に装飾部材が一体的に取り付けられる。上記装飾部材はスピーカ部に取り付けられる。上記装飾部材はスピーカ部から吊り下げうるように形成され、スピーカ部から垂れ下がる複数本の線状部材と、上記線状部材の所要位置に配置された飾り体とを有して構成される。上記飾り体として光輝性を有するビーズが使用されたり、上記線状部材としてチェーンが使用される。また、上記線状部材の中の1本の先端部に、耳朶に固定しうるイヤリングの留め具が取り付けられる。  【選択図】図１
0003105601.tif 000002
【実用新案登録請求の範囲】
【請求項１】
イヤホン本体に装飾部材が一体的に取り付けられたことを特徴とするイヤホン。
【請求項２】
上記装飾部材がスピーカ部に取り付けられたことを特徴とする請求項１記載のイヤホン。
【請求項３】
上記装飾部材はスピーカ部から吊り下げうるように形成されていることを特徴とする請求項２記載のイヤホン。
【請求項４】
上記装飾部材は、スピーカ部から垂れ下がる複数本の線状部材と、上記線状部材の所要位置に配置された飾り体とを有して構成されていることを特徴とする請求項３記載のイヤホン。
【請求項５】
上記飾り体として光輝性を有するビーズが使用されていることを特徴とする請求項４記載のイヤホン。
【請求項６】
上記線状部材としてチェーンが使用されていることを特徴とする請求項４又は５記載のイヤホン。
【請求項７】
上記線状部材の中の１本の先端部に、耳朶に固定しうるイヤリングの留め具が取り付けられていることを特徴とする請求項４，５又は６記載のイヤホン。
【考案の詳細な説明】
【技術分野】
【０００１】
本考案はイヤホンに関する。
【背景技術】
【０００２】
ウォークマン（商品名）等の携帯音響機器はイヤホンを用いて音楽等を聴くように形成されている。
【０００３】
従来の携帯音響機器に使用されるイヤホンは、耳穴に嵌め込んで装着しうる大きさに形成されたスピーカ部と、携帯音響機器に接続するコード部とを有して構成されている。
【０００４】
しかしながら、従来のイヤホンは音楽等を聴くという実用性のみ重視されていて、装飾性は考慮されておらず、ファッション性に欠けるため、商品としての外観が魅力的ではなかった。
また、従来のイヤホンの、耳に装着する一対のスピーカ部はいずれも非常に軽量に形成されていることから、歩行の際の振動や、コードの緊張等により耳から外れやすい、という不具合が存していた。
【０００５】
本出願人は上記問題点を解消しうるイヤホンについて調査したが、関連する先行技術文献を見出すことはできなかった。
【考案の開示】
【考案が解決しようとする課題】
【０００６】
本考案の課題は、耳に装着して音楽等を聴きながら同時にオシャレも一緒に楽しむことができ、その結果、本考案に係るイヤホンの商品としての外観品質を向上させることができると共に、装着後耳からスピーカ部が外れにくいイヤホンを提供することにある。
【課題を解決するための手段】
【０００７】
上記課題を解決するために、請求項１記載の本考案に係るイヤホンは、イヤホン本体に装飾部材が一体的に取り付けられたことを特徴とする。
【０００８】
即ち、請求項１記載の本考案に係るイヤホンは、イヤホン本体に装飾部材が一体的に取り付けられることにより、当該イヤホンは耳飾りとしても使用可能となるものである。
【０００９】
また、請求項２記載の本考案に係るイヤホンは、上記装飾部材がスピーカ部に取り付けられたことを特徴とする。
【００１０】
即ち、請求項２記載の本考案に係るイヤホンは、耳穴に嵌め込んで装着するスピーカ部に上記装飾部材が取り付けられることにより、耳を効果的に飾ることができる。
【００１１】
また、請求項３記載の本考案に係るイヤホンは、上記装飾部材がスピーカ部から吊り下げうるように形成されていることを特徴とする。
【００１２】
即ち、請求項３記載の本考案に係るイヤホンは、上記装飾部材がスピーカ部から吊り下げられることにより、装飾部材の量を増大することができて、耳飾りらしい華やかな外観を有することができる。
【００１３】
また、請求項４記載の本考案に係るイヤホンは、上記装飾部材が、スピーカ部から垂れ下がる複数本の線状部材と、上記線状部材の所要位置に配置された飾り体とを有して構成されていることを特徴とする。
【００１４】
即ち、請求項４記載の本考案に係るイヤホンは、スピーカ部から垂れ下がる複数本の線状部材が揺れ動き、それに従い、上記線状部材の所要位置に配置された飾り体も揺れ動くようになる。
【００１５】
また、請求項５記載の本考案に係るイヤホンは、上記飾り体として光輝性を有するビーズが使用されていることを特徴とする。
【００１６】
即ち、請求項５記載の本考案に係るイヤホンは、上記飾り体として使用されるビーズが光り輝くことにより、耳飾りとして華やかさを有するようになる。
【００１７】
また、請求項６記載の本考案に係るイヤホンは、上記線状部材としてチェーンが使用されていることを特徴とする。
【００１８】
即ち、請求項６記載の本考案に係るイヤホンは、上記線状部材としてチェーンが使用されることにより、その線状部材自体も装飾性を有するようになる。
【００１９】
また、請求項７記載の本考案に係るイヤホンは、上記線状部材の中の1本の先端部に、耳朶に固定しうるイヤリングの留め具が取り付けられていることを特徴とする。
【００２０】
即ち、請求項７記載の本考案に係るイヤホンは、スピーカ部を耳穴に嵌め込んで保持するだけでなく、上記線状部材の中の1本の先端部に取り付けられたイヤリングの留め具を耳朶に固定することによっても保持することができる。
【考案の効果】
【００２１】
請求項１記載の本考案に係るイヤホンは、イヤホン本体に装飾部材が一体的に取り付けられたことから、イヤホンの商品としての外観品質を向上させることができる。
従って、使用者はイヤホンの外観に親しみを持つことができ、耳に装着して音楽等を聴きながら同時にオシャレも一緒に楽しむことができるので、需要者の購買意欲を惹起することができる。
また、上記装飾部材の重みが上記スピーカ部に加わることにより、耳穴に嵌め込まれた上記スピーカ部が動きにくくなって安定するため、耳から外れて落下しにくくなる。
従って、従来のイヤホンにあっては、耳に装着した場合であっても、スピーカ部は非常に軽量に形成されていることから、歩行等の振動や、コード部の緊張により耳孔から脱落してしまう場合も多かったが、本考案に係るイヤホンにあっては、一方のスピーカ部が装飾部材の重さにより確実に耳孔に保持されることから、装着したスピーカ部が耳から外れにくくなる。
【００２２】
また、請求項２記載の本考案に係るイヤホンは、上記装飾部材がスピーカ部に取り付けられたことから、上記スピーカ部が耳穴に嵌め込まれたときに、耳が上記装飾部材により華やかになる。従って、耳飾りを付けた状態を呈することから耳のオシャレを楽しむことができ、その結果、イヤホンの商品としての外観品質を向上させることができる。
【００２３】
また、請求項３記載の本考案に係るイヤホンは、上記装飾部材がスピーカ部から吊り下げうる構造に形成されていることから、耳穴に装着されるスピーカ部だけでなく、耳の下方まで上記装飾部材が配置されることになるため、装飾範囲が拡大して商品としての外観品質を向上させることができる。
【００２４】
また、請求項４記載の本考案に係るイヤホンは、上記装飾部材が、スピーカ部から垂れ下がる複数本の線状部材と、上記線状部材の所要位置に配置された飾り体とを有して構成されていることから、上記線状部材は歩くときなどの振動で揺れ動きやすいため、その線状部材の揺れに従い上記飾り体も揺れ動くことになるので、その飾り体に当たって反射する光が散乱する等の光学効果が得られことから、商品としての外観品質を向上させることができる。
【００２５】
また、請求項５記載の本考案に係るイヤホンは、上記飾り体として光輝性を有するビーズが使用されていることから、光がビーズにより反射することにより華やかさが生じ、商品としての外観品質を向上させることができる。
【００２６】
また、請求項６記載の本考案に係るイヤホンは、上記線状部材としてチェーンが使用されていることから、そのチェーンの金属性光沢により外観が煌びやかになり、商品としての外観品質を向上させることができる。
【００２７】
また、請求項７記載の本考案に係るイヤホンは、上記線状部材の中の1本の先端部に、耳朶に固定しうるイヤリングの留め具が取り付けられていることから、そのイヤリングの留め具を耳朶に固定することにより上記飾り部材がイヤリングの飾りのような外観を呈することになる。従って、イヤリングを装着するように違和感なく着用することができる。    
また、上記留め具により耳朶に固定することによりイヤホンの装着状態が安定するため、より確実に耳の固定することができ、イヤホンが耳から外れて落下しにくくなる。
【考案を実施するための最良の形態】
【００２８】
以下、図面に基づき本考案の実施の形態について説明する。
本実施形態に係るイヤホン１０は、図１〜図３に示すように、イヤホン本体１１に装飾部材１２が一体的に取り付けられている。
そして、上記装飾部材１２は、図１〜図３に示すように、スピーカ部１３に取り付けられている。
また、上記装飾部材１２は、図１〜図３に示すように、スピーカ部１３から吊り下げうるように形成されている。
また、上記装飾部材１２は、図１〜図３に示すように、スピーカ部１３から垂れ下がる複数本の線状部材１４と、上記線状部材１４の所要位置に配置された飾り体１５とを有して構成されている。
また、図１に示すように、上記飾り体１５として光輝性を有するビーズ１６が使用されている。
また、図２に示すように、上記線状部材１４としてチェーン１７が使用されている。
また、図３に示すように、上記線状部材１４の中の1本の先端部に、耳朶に固定しうるイヤリングの留め具１８が取り付けられている。
【実施例１】
【００２９】
まず、図１に示した実施例１について説明する。
本実施例１に係るイヤホン１０は、一対のスピーカ部１３，１３と、携帯音響機器（図示せず）に接続するプラグ部１９と、上記一対のスピーカ部１３，１３と上記プラグ部１９とを繋ぐコード部２０とによりイヤホン本体１１が構成されている。
【００３０】
そして、上記イヤホン本体１１における片方のスピーカ部１３に装飾部材１２が一体的に取り付けられている。
【００３１】
上記スピーカ部１３は、耳穴に嵌め込み可能な大きさの丸い形状に形成され、その表面部に複数個の光輝性を有する飾り片２１が上記装飾部材１２の１つとして接着されている。
なお、上記飾り片２１は上記スピーカ部１３の表面部に埋設することも可能である。    
【００３２】
また、上記スピーカ部１３から複数本の柔軟性を有する素材で形成された線状部材１４が垂れ下げられ、その線状部材１４の長さ方向に沿って、所要間隔で複数個の球状のビーズ１６が上記飾り体１５として取り付けられている。
即ち、上記線状部材１４とビーズ１６とによる装飾部材１２も形成されている。
【００３３】
なお、本実施例１のイヤホン１０は、上記イヤホン本体１１における片方のスピーカ部１３にのみ装飾部材１２が取り付けられているが、両方のスピーカ部１３，１３に装飾部材１２を取り付けることも可能である。
【実施例２】
【００３４】
次に、図２に示した実施例２について説明する。
本実施例２に係るイヤホン１０も、上記実施例１と同様に、一対のスピーカ部１３，１３と、携帯音響機器（図示せず）に接続するプラグ部１９と、上記一対のスピーカ部１３，１３と上記プラグ部１９とを繋ぐコード部２０とによりイヤホン本体１１が構成されている。
【００３５】
そして、上記イヤホン本体１１における片方のスピーカ部１３に装飾部材１２が一体的に取り付けられている。
【００３６】
上記スピーカ部１３は、耳穴に嵌め込み可能な大きさの丸い形状に形成され、その表面部に複数個の光輝性を有する飾り片２１が上記装飾部材１２の1つとして接着されている。
なお、上記飾り片２１は上記スピーカ部１３の表面部に埋設することも可能である。      
【００３７】
上記実施例１では、上記スピーカ部１３から複数本の柔軟性を有する素材で形成された線状部材１４が垂れ下げられていたが、本実施例２では、上記スピーカ部１３から線状部材１４として複数本の金属製のチェーン１７が垂れ下げられている。
【００３８】
そして、上記チェーン１７の長さ方向の複数個所に球状体２２が上記飾り体１５として取り付けられている。
即ち、上記チェーン１７と球状体２２とによる装飾部材１２も形成されている。
【００３９】
なお、本実施例２のイヤホン１０も、上記イヤホン本体１１における片方のスピーカ部１３にのみ装飾部材１２が取り付けられているが、両方のスピーカ部１３，１３に装飾部材１２を取り付けることも可能である。
【実施例３】
【００４０】
次に、図３に示した実施例３について説明する。
本実施例３に係るイヤホン１０も、一対のスピーカ部１３，１３と、携帯音響機器（図示せず）に接続するプラグ部１９と、上記一対のスピーカ部１３，１３と上記プラグ部１９とを繋ぐコード部２０とによりイヤホン本体１１が構成されている。
【００４１】
そして、上記イヤホン本体１１における片方のスピーカ部１３に装飾部材１２が一体的に取り付けられている。
【００４２】
上記スピーカ部１３は、耳穴に嵌め込み可能な大きさの丸い形状に形成され、その表面部に複数個の光輝性を有する飾り片２１が上記装飾部材１２の1つとして接着されている。
なお、上記飾り片２１は上記スピーカ部１３の表面部に埋設することも可能である。    
【００４３】
また、上記スピーカ部１３から線状部材１４として複数本のチェーン１７が垂れ下げられ、そのチェーン１７の長さ方向に沿って、複数箇所に様々な形状の飾り体１５が取り付けられている。
即ち、上記チェーン１７と上記飾り体１５とによる装飾部材１２も形成されている。
【００４４】
そして、上記複数本のチェーン１７の中の1本には、その先端部に、耳朶に固定しうるイヤリングの留め具１８が取り付けられている。
【００４５】
なお、本実施例３のイヤホン１０も、上記イヤホン本体１１における片方のスピーカ部１３にのみ装飾部材１２が取り付けられているが、両方のスピーカ部１３，１３に装飾部材１２を取り付けることも可能である。
【００４６】
本実施例に係るイヤホン１０は、イヤホン本体１１に装飾部材１２が一体的に取り付けられたことにより、当該イヤホン１０は耳飾りとしても使用可能となり、オシャレを目的として耳に装着することもできる。
また、上記装飾部材１２がスピーカ部１３に取り付けられたことにより、そのスピーカ部１３の装飾性が向上し、そのスピーカ部１３は耳穴に嵌め込んで装着されることから、耳が飾られることになる。
また、上記装飾部材１２がスピーカ部１３から吊り下げられることから、スピーカ部１３から離れて多くの装飾部材１２を取り付けることができ、耳飾りらしい華やかな外観を有することができる。
また、上記装飾部材１２が、スピーカ部１３から垂れ下がる複数本の線状部材１４と、上記線状部材１４の所要位置に配置された飾り体１５とを有して構成されていることから、
スピーカ部１３から垂れ下がる複数本の線状部材１４が揺れ動きやすくなり、それに従い、上記線状部材１４の所要位置に配置された飾り体１５も揺れ動きやすくなり、目立つようになる。
また、上記飾り体１５として光輝性を有するビーズ１６が使用され、そのビーズ１６が光り輝くことから、耳飾りとして華やかさを有するようになる。
また、上記線状部材１４としてチェーン１７が使用されることにより、その線状部材１４自体が金属光沢を有してキラキラ煌くので、装飾性を有するようになる。
また、上記線状部材の中の1本の先端部に、耳朶に固定しうるイヤリングの留め具１８が取り付けられたことから、スピーカ部１３を耳穴に嵌め込んで保持するだけでなく、上記線状部材の中の1本の先端部に取り付けられたイヤリングの留め具１８を耳朶に固定することもできるので、耳に取り付けた状態を安定させることができる。  
【産業上の利用可能性】
【００４７】
本考案は、すべてのイヤホンに適用可能である。
【図面の簡単な説明】
【００４８】
【図１】本考案に係るイヤホンの一実施例を示す斜視図である。
【図２】本考案に係るイヤホンの他の実施例を示す斜視図である。
【図３】本考案に係るイヤホンの他の実施例を示す斜視図である。
【符号の説明】
【００４９】
１０  イヤホン
１１  イヤホン本体
１２  装飾部材
１３  スピーカ部
１４  線状部材
１５  飾り体
１６  ビーズ
１７  チェーン
１８  留め具
１９  プラグ部
２０  コード部
２１  飾り片
２２  球状体
【図１】
0003105601.tif 000003
【図２】
0003105601.tif 000004
【図３】
0003105601.tif 000005